(57)【特許請求の範囲】
【請求項１】
パチンコ球を整列状態で打球発射装置に導く発射球導出部が設けられた下皿と、余剰球を貯留しておく上皿とを備え、前記下皿と前記上皿が遊技者の目に触れる位置に配設されたパチンコ遊技機であって、
球払出装置から払い出されたパチンコ球を流下させる払出通路の流下端に前記下皿に連通する球導出口を設けると共に、前記払出通路の途中に前記上皿に連通する溢出口を設け、前記下皿内で充満したパチンコ球が前記球導出口から前記払出通路に溢れ出し、該溢れ出したパチンコ球が前記溢出口に到達すると該溢出口から前記上皿へと流入するようにしたことを特徴とするパチンコ遊技機。
【請求項２】
前記上皿と前記下皿とを繋ぐ連通路を設けて該下皿のパチンコ球の貯留量の減少に伴って該上皿のパチンコ球が該下皿へと流落するようにしたことを特徴とする請求項１記載のパチンコ遊技機。
【発明の詳細な説明】
【技術分野】
【０００１】
本発明は、打球を供給する供給皿およびパチンコ球を貯留する貯留皿を備えたパチンコ遊技機に関するものである。
【背景技術】
【０００２】
従来のパチンコ遊技機は、設置島に固着される機枠の前面に本体枠が開閉自在に装着され、前記本体枠の後面に位置して遊技盤が設けられている。そして、前記本体枠の前面に前記遊技盤にパチンコ球を発射する打球発射装置にパチンコ球を供給する供給皿と、該供給皿の下方に位置して余剰球を貯留する貯留皿とを備え、該貯留皿の側方に操作ハンドルを設けている。
【０００３】
このように構成されるパチンコ遊技機は、打球を供給する供給皿の下方に位置してパチンコ球を貯留する貯留皿を配設して、球払出装置から払出されたパチンコ球により供給皿が満杯になると余剰球通路を介して前記貯留皿に導くようにしている。
【０００４】
また、前記供給皿は打球を１個ずつ打球発射装置に送り込むために皿部側壁をガイド壁として徐々に絞り込んで整列させている。このため、どうしても皿部の貯留量が少なくなり、すぐに貯留皿に溢出してしまうことから、少しでも貯留量を増やすために補助貯留部を設けた供給皿が開示されている（例えば、特許文献１参照。）。
【特許文献１】特開平１１−７６５５４号公報
【発明の開示】
【発明が解決しようとする課題】
【０００５】
しかしながら、補助貯留部に貯留されるパチンコ球は僅かであり、すぐに貯留皿に溢れるものの貯留皿も側方に操作ハンドルおよび灰皿が設けられており、貯留皿の貯留量が僅かであるためすぐに満タンとなり球箱等に球抜きをしなければならなかった。
【０００６】
そして、入賞球が少なくなると供給皿のパチンコ球がすぐに無くなって遊技者が貯留皿または球箱のパチンコ球を供給皿に戻さなければならず煩わしいものとなっていた。特に女性遊技者にとって汚れたパチンコ球に触れたり爪が傷ついたりするため客離れの一因ともなっていた。
【０００７】
そこで、本発明は上記課題を解決すべくなされたもので、その目的とするところは、遊技者が貯留皿の溢出球を供給皿に戻すことなく遊技できるパチンコ遊技機を提供することにある。
【課題を解決するための手段】
【０００８】
上記目的を達成するために、請求項１記載の発明は、遊技機の前面に高低差をもって上皿と下皿を設け、前記下皿には該下皿内のパチンコ球を整列状態で打球発射装置に導く発射球導出部を設け、球払出装置から払い出されたパチンコ球を該下皿内に流入させる払出通路を設け、前記払出通路の途中に溢出口を設けて該払出通路を該溢出口を介して前記上皿に連通させ、前記払出通路に充満したパチンコ球が前記溢出口から溢れ出し上皿内に一時的に貯留されるようにしたことを特徴とする。
【０００９】
また、請求項２記載の発明は、請求項１記載の発明において、前記上皿は溢出口に向けて下傾状に形成したものである。
【００１０】
請求項３記載の発明は、請求項１記載の発明において、前記上皿内のパチンコ球を下皿内に流落させる連通路を設けた。
【００１１】
請求項４記載の発明は、遊技機の前面に高低差をもって上皿と下皿を設け、球払出装置から払い出されたパチンコ球を前記上皿内に流入させる払出通路を設け、該上皿内のパチンコ球を下皿内に流落させる連通路を設け、前記下皿には該下皿内のパチンコ球を整列状態で打球発射装置に導く発射球導出部を設けたことを特徴とする。
【００１２】
請求項５記載の発明は、遊技機の前面に高低差をもって上皿と下皿を設け、球払出装置から払い出されたパチンコ球を前記上皿内に流入させる払出通路を設け、該上皿内のパチンコ球を下皿内に流落させる連通路を設け、前記下皿には該下皿内のパチンコ球を整列状態で打球発射装置に導く発射球導出部を設け、前記払出通路の途中に溢出口を設けて該払出通路を該溢出口を介して前記下皿に連通させ、前記上皿に充満したパチンコ球が前記溢出口から溢れ出し下皿内に流入するようにしたことを特徴とする。
【００１３】
また、請求項６記載の発明は、請求項１乃至５のいずれかに記載の発明において、前記下皿に球抜開口を開設すると共に、前記球抜開口を閉塞する球抜装置を設け、前記球抜装置の操作により前記上皿および前記下皿のパチンコ球を球抜きするようにしたことを特徴とする。前記下皿に複数の球抜開口を設け、少なくとも１つはパチンコ球を一列に整列する整流通路に設けるのが好ましい。また、前記複数の球抜開口を閉塞する閉塞板を夫々設け、該閉塞板を連繋して１つの操作部材で操作できるようにするのがよい。
【００１４】
前記上皿および前記下皿を一体的に開放する開閉板に設けるのが好ましい。
【００１５】
前記上皿内のパチンコ球を下皿内に流落させる連通路を遊技機の前面側に設けて上皿および下皿を遊技機の前面側で連通するようにするのが好ましい。また、複数の連通路で上皿および下皿を連通するようにしてもよい。
【００１６】
また、ファール球を前記下皿に直接回収するようにするのが好ましい。
【００１７】
前記上皿に整流部を設け、該整流部で上皿のパチンコ球を整流した状態で下皿に導くのが好ましい。
【００１８】
また、前記払出通路に球詰り解消用の振動手段を設けるのが好ましく、振動手段は例えばモータに偏心カムを設けた振動モータである。また、打球発射装置を振動手段として該打球発射装置により発生する振動を直接的またはリンク等を使用して間接的に払出通路に振動を付与するようにしてもよい。
【００１９】
また、前記下皿にパチンコ球を流入する開口部に球圧を減少する抑制手段を設けるのが好ましく、抑制手段は例えば軟質樹脂片であり揺動部材である。
【００２０】
前記下皿は開閉板を介して設けられ、前記下皿から打球供給装置を介して１個ずつ供給されたパチンコ球を一時待機させる発射位置を備えた発射レールを前記開閉板の後側に配設し、さらに前記発射位置のパチンコ球を遊技盤面に打ち込む打球発射装置を前記開閉板の後側に配設するのが好ましい。
【００２１】
前記下皿のパチンコ球を１個ずつ供給する打球供給装置と、前記打球供給装置から供給されたパチンコ球を発射位置に一時停止させる発射レールと、前記発射位置のパチンコ球を遊技盤面に打ち込む打球発射装置とを組付けて発射ユニットを構成し、前記発射ユニットを前記下皿に着脱自在に装着するのが好ましい。
【００２２】
前記下皿が着脱自在に装着され、可変表示装置に所定図柄が組合せられることにより球払出装置からパチンコ球が前記下皿に払出されるパチンコ遊技機を改造したものであって、前記下皿と互換性を有する改造用供給皿を前記下皿に替えて装着し、前記改造用供給皿には、所定数のパチンコ球を単位賭数として回収する球回収機構と、球回収されたことを条件として前記可変表示装置の図柄を変動させる始動操作部と、前記可変表示装置の変動図柄を停止させる停止操作部とが備えられ、前記始動操作部の操作によって変動した可変表示装置の図柄が前記停止操作部の任意の停止操作により所定図柄の組合せに停止されることで、前記球払出装置からパチンコ球が前記改造用供給皿に払出されるようにするのが好ましい。
【発明の効果】
【００２３】
以上述べたように本発明に係るパチンコ遊技機は、遊技機の前面に高低差をもって上皿と下皿を設け、該下皿を打球発射装置に連通させ該下皿内のパチンコ球が整列状態で該打球発射装置に導かれるようにするとともに、上皿と下皿を球経路を介して連通させ、該球経路に充満したパチンコ球が上皿内に一時的に貯留されるようにしたので、貯留量を大幅に増やすことができ従来のように溢れ球を手で戻す煩わしさがなく遊技に集中することができる。
【発明を実施するための最良の形態】
【００２４】
以下本発明に係るパチンコ機の球受皿の実施の形態を図面に基づき説明する。図１は本発明に係るパチンコ遊技機の正面図、図２はガラス扉枠および前板を開放して示すパチンコ遊技機の正面図である。図において、１はパチンコ遊技機の機枠、２は機枠１の前面に開閉自在に装着される額縁状に開口した前面枠、３は該前面枠２の後側に支持枠４を介して着脱自在に装着される遊技盤である。そして、前記前面枠２の開口前面に遊技盤３の上方部を覆うガラス扉枠５および開閉板としての前板６が軸支機構６７により開閉自在に装着されており、ガラス扉枠５は開放端に設けた錠装置１０により閉止状態で施錠される。また、前記前板６の前面には高低差をもって上皿と下皿を設け、前記下皿は打球を供給する供給皿１１であり、前記上皿は前記供給皿１１の余剰球を貯留すると共に供給皿１１のパチンコ球の減少に伴い該余剰球を供給する貯留皿１２である。１４は前記供給皿１１の側方に位置して設けられる打球の弾発力を調節する操作ハンドルである。なお、前記支持枠４は前面枠２と一体に形成した実施の形態として説明するが、別体に形成してもよいのはいうまでもない。
【００２５】
前記遊技盤３は、誘導手段としてのガイドレール１５（内外レール１５ａ，１５ｂ）によってほぼ円形の遊技領域３ａを形成し、該遊技領域３ａには一般入賞口１６や可変表示装置１７の図柄を変動させる始動入賞口１８、また前記可変表示装置１７の予め設定された図柄の組合せにより開放する大入賞口１９等が設けられている。前記大入賞口１９は、取付板に形成した横長の開口に開閉扉２２を前後方向に開閉自在に設け、電気的駆動源（図示せず）により前記開閉扉２２を開閉する周知のものである。また、前記大入賞口１９の下方であり遊技領域３ａの最下部に、上記入賞口１６，１８，１９に入賞しなかったアウト球を流出するアウト口２３が形成されている。２４は遊技領域３ａに設けられるサイドランプ、２５は遊技領域３ａ外上方に設けられるコーナーレンズである。
【００２６】
前記支持枠４は遊技盤３の周縁を囲う周壁部２６と遊技盤３の下面が当接支持される支持部２７とを中空枠状に形成している。そして、図５に示すように支持部２７の左下方前面に発射レール２８が装着されており、その先端に前記外レール１５ａに連通する誘導壁２９が連設されている。３０は発射レール２８の発射位置３１に打球杆３２の先端が臨む打球発射装置であり、前記操作ハンドル１４と電気的に接続されている。該打球発射装置３０はソレノイド３３に打球杆３２としてのプランジャが挿通されており、ソレノイド３３の通電・断電により打球杆３２を進退してパチンコ球を発射する。３４はファール球誘導片であり、打球発射装置３０により打ち出されたパチンコ球が遊技領域３ａに至らずファール球として発射レール２８に戻らないようにファール球回収通路３５に誘導する。なお、前記打球発射装置はモータの回転により打球杆を往復動するものであってもよい。
【００２７】
また、前記遊技盤３の裏面には図３に示すように合成樹脂によりほぼ方形状に形成される機構板３７が配設されており、ほぼ中央に前記可変表示装置１７の後部が臨む窓部３８が開設されており、該窓部３８の上方にパチンコ球を貯留する球タンク３９が取付けられる。また、球タンク３９の下方にはパチンコ球を整列して導き出す球誘導樋４０が設けられ、その下流端は、屈曲誘導樋４１を介して所定数のパチンコ球を払出す球払出装置４２が接続されている。
【００２８】
前記球払出装置４２は、図４に示すように、本体ベース４３と駆動モータ４４とリードスクリュー４５によって大略構成されている。本体ベース４３には屈曲誘導樋４１に接続する供給通路４６が形成され、前記駆動モータ４４の出力軸４７に前記リードスクリュー４５が固着されている。該リードスクリュー４５に螺旋状に設けられた突条４８により、リードスクリュー４５が１回転するごとに球供給通路４６の最先端のパチンコ球を払出すようになっている。４９は、リードスクリュー４５の回転によって払出されるパチンコ球を検出する球計数用センサである。
【００２９】
前記球払出装置４２の下方には、該球払出装置４２から払出されたパチンコ球を連絡樋５０を介して球導出口５０ａから供給皿１１に導く球経路としての払出通路５１と、供給皿１１および払出通路５１にパチンコ球が充満して払出通路５１の一側に設けた溢出口６２から溢出する余剰球を貯留皿１２に導く球通路部５２が設けられ、その終端は連絡樋５３を介して貯留皿１２と連通し球出口５３ａからパチンコ球が流入するようにしている。また、図４に示すように前記球通路部５２の上方に位置して貯留皿１２の満タンを検知する検知手段５４が設けられ、該検知手段は球通路部５２に充満するパチンコ球により押動する検知板５５と該検知板５５により押圧される検知スイッチ５６とで構成される。そして、貯留皿１２が満タンとなり前記検知板５５により検知スイッチ５６が押圧されると遊技盤３に設けられたコーナーレンズ２５を点灯させて遊技者に満タンを報知すると共に、前記球払出装置４２の払出しを停止する。
【００３０】
また、払出通路５１には振動手段５７が設けられ、該振動手段５７はモータ５８と該モータ５８の回転軸に固着された偏心ウェイト５９とを有しており、モータ５８の起動により偏心ウェイト５９が回転し振動を発生させる。該振動手段５７は払出通路５１での球詰りを防止するためのものであり、例えば払出通路５１の上下位置に球検知スイッチを設け、上部の球検知スイッチがオン状態で下部の球検知スイッチがオフ状態のような不自然な状態時に振動させて球詰りを解消させたり、定期的に振動させるようにしてもよい。また、前記打球発射装置３０を振動手段として該打球発射装置３０により発生する振動を直接的またはリンク等を使用して間接的に払出通路５１に振動を付与するようにしてもよい。６０は屈曲誘導樋４１に設けられた球抜き装置６１によって球抜きされたパチンコ球を機外に排出する球抜き通路である。なお、前記払出通路５１の屈曲下端底部には球払出装置４２から払出されたパチンコ球が跳ねることのないように衝撃を吸収するウレタンゴム等の緩衝部材を設けるのが好ましい。
【００３１】
また、前記窓部３８の下方には入賞球が集合する球集合部６３が設けられており、球集合部６３の底部傾斜終端の開口６４に連通して球排出通路６５が設けられ、該球排出通路６５から入賞球が機外に排出されるようになっている。６６はアウト球を機外に排出するアウト球排出通路であり、終端は前記球排出通路６５と連通している。
【００３２】
ところで前記前板６は裏面には図２に示すように前記連絡樋５０，５３が設けられ、供給皿１１の裏面に位置して前記供給皿のパチンコ球を発射レール２８の発射位置３１に１個ずつ送り出す打球供給装置６９が設けられている。また、裏面一側には前面枠２に開閉自在に軸支する軸支機構６７が設けられ、他側には開放端を閉止する係止機構６８が設けられている。
【００３３】
前記軸支機構６７は、上下ヒンジ具により構成され上ヒンジ具は前面枠２に設けられる軸ピン７３に嵌合する軸孔７４を有し、下ヒンジ具は支持板７５にスプリング７６により常に下方に付勢された軸杆７７が上下スライド自在に設けられ、前面枠２に設けられる軸孔７９に挿通され、前板６が前面枠２に開閉かつ着脱自在に装着される。
【００３４】
前記係止機構６８は、前板６に固着されるＬ型の支持板８０に鉤状片８１を有する作動板８２がスライド自在に設けられ、スプリング８３により作動板８２が施錠方向に付勢されており、前面枠２に設けられる係止部８４，８４に係止するようにしている。７１は作動板８２の上方に形成された操作部であり、該操作部７１をスプリング８３の付勢に抗して押圧することで係止部８４と鉤状片８１との係止を解除することができる。
【００３５】
前記貯留皿１２は、図６および図８に示すように前板６のほぼ幅方向の大きさを有し、前記球出口５３ａから流入するパチンコ球が貯留する皿部材８３とその前面を覆うカバー部材８４とで構成される。前記皿部材８３の底壁８３ａの最下部には該皿部材８３に貯留されるパチンコ球を前記供給皿１１に流落する流出口８５を開設しており、該流出口８５はパチンコ球が同時に複数個流出可能な大きさとしている。また、該流出口８５に貯留皿１２の球圧が下方に位置する供給皿１１に一気に掛からないように球圧調整用の開閉弁を設けるようにしてもよい。そして、前記流出口８５と連通して前記供給皿１１と前板６の前面側で連通し、貯留皿１２内のパチンコ球を供給皿１１に流落させる球経路としての連通路８６を設けている。該連通路８６は貯留皿１２または供給皿１１と一体に設けるようにしてもよいが、単体で開閉または着脱自在に設けるのが好ましく、球詰りや悪戯による詰め物の解消に効果的である。なお、前記球経路としての連通路８６は前記貯留皿１２の底部を漏斗状に形成して前記供給皿１１と連通させるようにしてもよい。前記カバー部材８４は、皿部材８３の上面一部を覆うように延設８４ａして前記流出口８５の上部を隠蔽しており、流出口８５にごみが入り込んだり悪戯されたりしないようにしている。そして、該延設部８４ａに球払出操作部８７が設けられており、該球払出操作部８７は球払出スイッチ８８，カード返却スイッチ８９および残数表示部９０を備えている。
【００３６】
一方前記供給皿１１は、図７および図８に示すようにパチンコ球が貯留する皿部材９１とその前面を覆うカバー部材９２とで構成されている。前記皿部材９１の側方に位置してカバー部材９２の上面を開口し皿部材９１の側壁に連通する供給路９３が形成されており、前記連通路８６に合致して供給路９３および連通路８６を介して前記貯留皿１２と供給皿１１が前板６の前面側で連通して貯留皿１２のパチンコ球を供給皿１１に供給するようにしている。このように、供給皿１１には前記パチンコ球導出口５０ａおよび供給路９３の二つの球経路からパチンコ球が流入する。また、供給路９３の流出口８５にはパチンコ球が流入する際の流圧を抑制する抑制手段としての軟質樹脂抑制片９４が垂下されている。該抑制手段は重錘部を備えパチンコ球の流下によって揺動する揺動部材であってもよい。前記皿部材９１は、底壁９１ａが一方（本実施の形態において左側）に緩やかに下り傾斜しており、その下流端はパチンコ球を整列状態で前記打球発射装置３０に導く発射球導出部９７が設けられている。該発射球導出部９７は誘導壁９５により前板６側にパチンコ球が一列に整列される整流通路９６が形成され、この整流通路９６の下流端の前記前板６に通孔７２が開設されている。そして、前記通孔７２を介して前記打球供給装置６９が接続され、整列状態で導かれたパチンコ球を前記打球発射装置３０に導くようにしている。また、前記ファール球回収通路３５はファール球口３５ａを介して該供給皿１１に連通しており、ファール球はカバー部材９２内のファール球通路７０を通過して皿部材９１の側壁に開設した開口９８から皿部９１内に戻され、再度打球として供給される。
【００３７】
また、供給皿１１には複数の球抜開口９９，１００が開設されており、１つは前記整流通路９６の下流端の底面に開設された球抜孔９９であり、他方は前記供給路９３の底部に開設される球抜口１００である。前記球抜孔９９および球抜口１００は常には後述する球抜装置１０１により閉塞されると共に、それぞれその下方に設けられる球抜通路１０３に連通しており、該球抜通路１０３の下流端はカバー部材９２の底部に開設される通口１０４に臨んで球抜される。
【００３８】
前記供給皿１１の球抜き装置１０１は、図９に示すように前記皿部材９１とカバー部材９２との間に位置して前記球抜孔９９を閉塞する球抜弁１０５と前記球抜口１００を閉塞する球抜部材１０６と常に前記球抜弁１０５および球抜部材１０６を球抜孔９９および球抜口１００を閉塞する位置に付勢するスプリング１０７とを備えている。前記球抜部材１０６の一端には前記前記球抜口１００を閉塞すると共に皿部にパチンコ球を誘導するように傾斜状の閉鎖板部１０６ａが形成され、ほぼ中間にカバー部材９２の開口９２ａから外側に臨む操作部材１０８が一体に設けられ、その腕部１０８ａに前記スプリング１０７の一端が固着される。また、球抜部材１０６の他端には長孔１１０が形成され、前記球抜弁１０５の端部に前記長孔１１０に遊嵌する係止突起１０９が設けられる。そして、球抜弁１０５の係止突起１０９を球抜部材１０６の長孔１１０に嵌挿して連繋すると、前記操作部材１０８の一端に止着された前記スプリング１０７により前記球抜弁１０５および球抜部材１０６で球抜孔９９および球抜口１００を閉塞した状態となる。このとき前記係止突起１０９は図７に示すように長孔１１０の端部（図上右端）に位置している。なお、操作部材１０８を球抜部材１０６と一体に設けるようにしたが別体に形成してもよいのはいうまでもない。１１１は操作部材１０８およびカバー部材９２に描かれた目印であり、図１０に示すように操作部材１０８の目印１１１がカバー部材９２に描かれた目印１１１ａ，１１１ｂに合致することにより、球抜部材１０６が球抜口１００を開放する第一位置および球抜孔９９を開放する第二位置を示している。
【００３９】
上記構成のパチンコ遊技機は、プリペイドカードまたは貯球カード等の記憶媒体を情報判読制御処理部を備えたカードユニット（図示せず）のカード挿入口に前記記憶媒体を挿入し、貯留皿１２の球払出操作部８７の球払出スイッチ８８を操作すると球払出装置４２に払出信号が送信され駆動モータ４４が駆動してリードスクリュー４５が回転し残数表示部９０の表示範囲内で所定個数のパチンコ球が払出され球計数用センサ４９で検知されると駆動モータ４４が停止する。
【００４０】
球払出装置４２で払出されたパチンコ球は、前記払出通路５１を流下してパチンコ球導出口５０ａから供給皿１１に流入し、整流通路９６に整列し流出口９７を介して前記打球供給装置６９に導かれる。そして、操作ハンドル１４の操作により打球供給装置６９から発射レール２８の発射位置３１に送り込まれたパチンコ球を前記打球発射装置３０により遊技領域３ａに発射する。このときの発射レール２８の発射位置３１に送り込まれたパチンコ球はパチンコ遊技機に滞留するパチンコ球の中で最下位置にある。そして発射されたパチンコ球は、前記ファール球誘導片３４に接触しながら遊技領域３ａに打ち込まれ入賞口１６，１８，１９に入賞し、入賞球として検出され球排出通路６５を経由して機外に排出されるか、アウト口２３に導かれアウト球としてアウト球排出通路６６を経由して機外に排出される。
【００４１】
前記入賞口１６，１８，１９に入賞すると入賞球検知スイッチ１６ａ，１８ａ，１９ａにより検知され球払出装置４２に払出信号が送信されリードスクリュー４５が回転し供給通路４６に待機していたパチンコ球は賞球として払出通路５１に払出され前記貸球と同様にパチンコ球導出口５０ａから供給皿１１に流入する。また、「大当り」状態となり大入賞口１９が開放して多量の入賞球が発生し多量の賞球が払出通路５１に払出され、供給皿１１および払出通路５１に所定量の賞球が貯留すると、払出通路５１の溢出口６２から球通路部５２に溢出し該溢れたパチンコ球は球出口５３ａから貯留皿１２に流入して一時的に貯留される。そして、流入したパチンコ球は流出口８５から連通路８６および供給路９３を介して供給皿１１に供給される。このことから、遊技中に供給皿１１に供給される球経路はパチンコ球導出口５０ａまたは供給路９３の二経路となり、貯留量も相当なものとなる。ところで、連通路８６および供給路９３にパチンコ球が連なり貯留皿１２が満タンとなり、さらに球通路部５２にもパチンコ球が充満すると、図４鎖線に示すように前記検知板５５により検知スイッチ５６が押圧され、コーナーレンズ２５を点灯させて遊技者に満タンを報知すると共に、前記球払出装置４２の払出しを停止する。
【００４２】
遊技者は、この満タン報知により球抜き操作を行う。この球抜操作は、スプリング１０７の付勢に抗して操作部材１０８を図７矢印方向に操作して、図１０一点鎖線および図１１（イ）に示すように操作部材１０８の目印１１１が目印１１１ａに合致するように球抜部材１０６を可動して球抜口１００を半開放する第一位置に移動する。そして、前記球抜口１００から球抜されたパチンコ球は球抜通路１０３を介して通口１０４から球箱等に回収される。このとき図７鎖線に示すように球抜部材１０６が可動しても長孔１１０の端部が係止突起１０９に干渉しない位置にあり、球抜弁１０５は可動せず球抜孔９９は閉止状態にある。このため、供給皿１１のパチンコ球を発射位置３１に送り込むことが可能となり、遊技者は遊技をしながら余剰球を回収することができる。なお、図１０に示すように前記操作部材１０８の第一位置を視認することなく体感で判断できるように、操作部材１０８が一旦衝止し通過可能な小突起１１２を設けるのが好ましく、遊技中に遊技盤３から視線を逸らすことなくしかも球抜孔９９が開放して遊技を中断させることなく球抜することができるため遊技に集中することができる。そして、貯留皿１２のパチンコ球が球抜きされて検知スイッチ５６が検知板５５の押圧から解除されると再度球払出装置４２が作動し止められていた賞球が払出される。
【００４３】
次に遊技終了時の球抜を説明する。まず前記余剰球回収と同様にスプリング１０７の付勢に抗して操作部材１０８を図７矢印方向に操作して球抜部材１０６を可動して球抜口１００を半開放する第一位置に移動すると共に、さらに操作部材１０８を球抜方向に操作して、図１０二点鎖線および図１１（ロ）に示すように操作部材１０８の目印１１１が目印１１１ｂに合致するように球抜口１００を全開放する第二位置に移動する。すると、前記長孔１１０の端部（図上左端）が係止突起１０９に係合して球抜弁１０５を可動して球抜孔９９を開放する。このため、球抜口１００より上流に位置する連通路８６，供給路９３および貯留皿１２さらに球通路部５２のパチンコ球は該球抜口１００から球抜通路１０３に球抜され、一方球抜孔９９より上流に位置する供給皿１１内および払出通路５１に貯留されたパチンコ球は該球抜孔９９から球抜通路１０３に球抜されすべてのパチンコ球が通口１０４から球箱等に回収される。
【００４４】
このとき、球抜口１００を全開した位置で流下するパチンコ球の荷重により係合する係止手段を設けるのが好ましい。前記係止手段は例えば図１０に示すようにカバー部材９２から前方に突出する操作部材１０８を利用し、カバー部材９２の開口９２ａであり球抜部材１０６の第二位置で係合する傾斜状の段部１１３を形成し、球抜孔９９および球抜口１００を全開する第二位置に可動すると球抜口１００に臨む球抜部材１０６にかかる球荷重により操作部材１０８が下動して腕部１０８ａが段部１１３に係合し、スプリング１０７の復帰力より球荷重が勝っている間は操作部材１０８から手を離しても球抜部材１０６を球抜孔９９および球抜口１００を全開する第二位置を保持する。そして、球抜きが終了すると球抜部材１０６が球荷重から解放されてスプリング１０７の復帰力および段部１１３の傾斜面により腕部１０８ａの係合が解除され球抜孔９９および球抜口１００を閉塞する位置に復帰する。このように、貯留皿１２にパチンコ球がある状態で操作部材１０８を操作すると球抜口１００を全開した状態を保持することができ、すべてのパチンコ球を抜き取り球抜部材１０６が球荷重から解放されるとスプリング１０７の付勢により球抜口１００および球抜孔９９を閉塞する。このため貯留皿１２にパチンコ球がない状態で悪戯に操作部材１０８を操作しても球抜部材１０６に球荷重がかからないことから、球抜孔９９および球抜口１００が全開状態のままロックされることはない。
【００４５】
なお、上記実施の形態において貯留皿１２の満タン時に球払出装置４２を停止させるようにしたが、球払出装置４２の停止時以降の入賞球に対する賞球を記憶する記憶手段を設けると共に、記憶された賞球数の表示部を設けるようにしてもよい。前記表示部は前記球払出操作部８７の残数表示部９０を利用してもよく、貯留皿１２および供給皿１１のパチンコ球が減少した際に球払出スイッチ８８を押圧することにより所定数のパチンコ球を払出すようにすればよい。なお、遊技終了時または端数の払出しはカード返却スイッチ８９を押圧することにより残数表示部の表示個数を払出すようにすればよい。当然のことながら普通機にも適応でき、普通機に記憶手段および記憶球の払出操作部を設けるようにすればよい。
【００４６】
また、溢出口６２を払出通路５１の幅方向の側壁に開設して側方に溢れるようにしたが、前後方向に溢れるように構成して払出通路５１の幅方向を狭くして、窓部３８を広くすることができ可変表示装置１７の大型化にも対応することができる。さらに、球払出装置４２を溢出口６２の近傍まで下げることにより、窓部３８を広くすることができる。また、払出通路５１の貯留量を増やすために、図３においてパチンコ球導出口５０ａを左方に形成して貯留量を増やしたり、球出口５３ａ左方に形成すると共にパチンコ球導出口５０ａを右方に形成して払出通路５１をく字状に形成したりして補助貯留部として貯留量を増やすことができる。
【００４７】
また、前記延設部８４ａはカバー部材８４と別体に形成してもよく、別体に形成して球払出操作部８７が取着されたＣＲ機用と単なる板状の普通機用とに簡単に交換することができる。さらに、前記延設部８４ａは連絡樋５３側に設けるようにしてもよく、球出口５３ａからパチンコ球が流入する際に、勢いで貯留皿１２の外に飛び出さないようにしたり、球出口５３ａから不正具を挿入し難くしたりして不正防止の役割をすることができる。なお、延設部８４ａは前記連絡樋５３と一体に形成するようにしてもよい。また、図１２に示すように流出口８５を球出口５３ａ側に開設すると共に、延設部８４ａ下面にガイド壁８４ｂを設け、該ガイド壁８４ｂにより球払出操作部８７の操作時の下方への撓みを防止するようにしている。このとき、貯留皿１２の底壁８３ａは同図矢印に示す傾斜により段差を形成してパチンコ球を流出口８５に導き、貯留皿１２全域にパチンコ球を貯留させるようにしている。なお、前記流出口８５の上方に位置する延設部８４ａ下面に流出口８５に向って傾斜する球均しを設けて、一気に球圧が流出口８５にかからないようにしてもよい。
【００４８】
上記したように貯留皿１２を供給皿１１の上方に位置して設けると共に貯留皿１２および供給皿１１をパチンコ球が自然流下するように連通することにより、従来のように貯留皿が操作ハンドル１４および灰皿により大きさを規制されることがなくパチンコ遊技機の幅方向に大きくでき、しかも払出通路５１および連通路８６が補助貯留部となり供給皿に供給される貯球量が顕著に多くなり、従来のように遊技者が貯留皿の溢出球を供給皿に戻さなければならないという煩わしさを解消し、特に女性遊技者にとって汚れたパチンコ球に触れることもなく爪を傷つけることもない。さらに下方に位置する供給皿１１の１回の球抜操作ですべての球抜きが可能となり、従来のように上下それぞれの球抜きを行う必要もなく、球抜きを迅速に行うことができる。
【００４９】
また、上記実施の形態において貸球および賞球を１つの球払出装置４２により払出すようにしたが、貸球および賞球をそれぞれ別々の球払出装置により払出すようにしてもよい。さらに、払出通路５１を分岐して供給皿１１および貯留皿１２に導くことなく一方の球払出装置により払出された貸球を供給皿１１に直接導き、他方の球払出装置で払出された賞球を貯留皿に導くようにして賞球は貯留皿１２を介して供給皿１１に導くようにしてもよく、貸球と賞球の供給経路を別々にでき貸球および賞球が確実に払出されているかが確認できる。好ましくは貸球を供給皿１１に直接導く払出通路５１と賞球を貯留皿に導く払出通路５１との区画壁に溢出口６２を開設して溢れ球を隣接する払出通路５１に導くようにするのがよい。また、貸球および賞球用の球払出装置をそれぞれ別々に設けることなく球払出装置４２の下方に振分け手段を設け、貸球および賞球を振分けるようにしてもよい。
【００５０】
図１３および図１４は貯留皿１２に簡易整流部を形成し、下方の供給皿１１に整流した状態で供給するようにした実施の形態を示している。図１３に示すように貯留皿１２は隔壁１１５によってパチンコ球が２個並行して並ばない流路幅（本実施の形態において１８ｍｍ）でパチンコ球がランダムに流下する整流部１１６を形成している。そして、貯留皿１２の貯留量を減らさないために隔壁１１５を介した底壁８３ａは図１３矢印に示すように整流部１１６の流下方向と逆方向に緩やかに傾斜している。一方、供給皿１１は図１４に示すように前記整流通路９６が幅方向のほぼ全長に亙って溝状に形成され、その上流部に前記整流部１１６で簡易的に整流したパチンコ球を供給するようにして、そのまま溝状の整流通路９６で整流して通孔７２に導くようにしている。
【００５１】
このように貯留皿１２のパチンコ球を上皿の整流部１１６で簡易的に整流して供給皿１１に導くことにより、貯留皿１２および供給皿１１を連通する供給路９３および連通路８６での球詰りの恐れがなく確実に貯留皿１２のパチンコ球を安定した状態で供給皿１１に供給することができる。
【００５２】
また、上記実施の形態において払出通路５１の溢出口６２から溢出して貯留皿１２に一時的に貯留されたパチンコ球を連通路８６により供給皿１１に導くようにしたが、図１５および図１６矢印に示すように貯留皿１２の皿部材８３の底壁８３ａおよび球通路部５２を前記溢出口６２に向けて緩やかな下形状に形成し、貯留皿１２に貯留されたパチンコ球を貯留皿１２の底壁８３ａの下傾により再度前記溢出口６２から供給皿１１に流落させるようにしてもよい。詳細すると払出通路５１にパチンコ球が溜まり前記溢出口６２からパチンコ球が溢出すると、溢出口６２近傍の球通路部５２から徐々に貯留され順次貯留皿１２に導かれる。そして、供給皿１１内のパチンコ球が減少して払出通路５１の球量が減少すると貯留皿１２に貯留されたパチンコ球は貯留皿１２の底壁８３ａの下傾により再度前記溢出口６２から払出通路５１に流落し供給皿１１に導かれる。当然のことながら球出口５３ａの最下端は貯留皿１２の底壁８３ａ位置にある。
【００５３】
図１７は全てのパチンコ球を貯留皿１２を介して供給皿１１に導く実施の形態のパチンコ遊技機の裏面図を示し、前記実施の形態と異なる点は球払出装置４２から払出されたパチンコ球は払出通路５１を介して全て貯留皿１２に導かれる点であるため、同じ構成要素には同一符号を付して説明する。この実施の形態において、球払出装置４２から払出されたパチンコ球は払出通路５１，球通路部５２，球出口５３ａを介して貯留皿１２に導かれ、貯留皿１２に導かれたパチンコ球は底壁８３ａの傾斜により流出口８５から連通路８６，供給路９３を経て供給皿に導かれ整流通路９６に整列する。そして、入賞口１６，１８，１９に打球が入賞して球払出装置４２から多くのパチンコ球が賞球として払出されると、供給皿１１から供給路９３，連通路８６とパチンコ球が充満して貯留皿１２に余剰球が貯留する。さらに払出通路５１まで余剰球が充満すると満タン検知スイッチ５６により満タンを検知し、球払出装置４２の払出しを停止する。以後は前記実施の形態と同様に供給皿１１のパチンコ球の減少にともなって順次貯留皿１２のパチンコ球を連通路８６，および供給路９３を介して供給皿１１にパチンコ球を供給することができる。
【００５４】
また、図１８および図１９は前記球出口５３ａから流出するパチンコ球を導出樋を介して直接的に供給するようにした実施の形態を示している。この実施の形態において前記球出口５３ａから貯留皿１２に導く導出樋１１８を設けており、その下方に位置して供給皿１１と連通する流出口８５が設けられている。前記導出樋１１８は図１９に示すように球出口５３ａ端まで所定間隔（パチンコ球２個程度）残した仕切壁１２０により供給路部１１８ａと球通路部１１８ｂを構成し、前記球出口５３ａから流入するパチンコ球が供給路部１１８ａを経由して流出口８５から直接的に供給皿１１に導かれる。また、貯留皿１２の皿部には区画壁１１９が形成され、底壁８３ａは図１８矢印に示すように供給路部１１８ａから溢れた余剰球が前記区画壁１１９により端部で迂回して流出口８５から流出するように下傾して形成されている。そして、供給皿１１にパチンコ球が充満して導出樋１１８の供給路部１１８ａを満たすと、前記仕切壁１２０の上端からパチンコ球が溢れ隣接する球通路部１１８ｂに流れ込み前記区画壁１１９により迂回して再度流出口８５に導くように貯留皿１２の皿部８３全域にパチンコ球が貯留される。このように前板６の前面側で供給皿１１および貯留皿１２を連通すると共にオーバーフローさせることも可能である。
【００５５】
なお、本実施の形態においてはＣＲ機として説明したため貸球を球払出装置４２で払出すようにしたが、所謂台間球貸機から貯留皿１２に導く普通機の際には、図１９鎖線に示すように前記導出樋１１８に台間球貸し機の誘導樋Ｙと連通する透孔Ｔを設けるようにして、台間球貸機からの貸球を前記透孔Ｔから導出樋１１８に導き直接的に流出口８５から供給皿１１に導くようにすればよい。好ましくは前記導出樋１１８を普通機またはＣＲ機にも使用できるように前記透孔Ｔに着脱自在の蓋部材を設けて、該蓋部材の着脱により普通機またはＣＲ機用に使い分けるのがよい。この実施の形態においては、前記球出口５３ａの位置を変更することなく遊技領域３ａを下方に拡大すると共に、貯留皿１２を前記実施の形態より下方に位置して設けることも可能である。
【００５６】
図２０は連通路８６を複数設けた実施の形態を示し、貯留皿１２の底壁８３ａを緩やかな山形形状とすると共に、その傾斜下部にそれぞれ流出口８５，８５ａを開設し、供給皿１１と連通路８６，８６ａを介して連通している。そして、一方の連通路８６は供給路９３に連通しており、他方の連通路８６ａは前記ファール球通路７０に連通している。また、図上球出口５３ａを底壁８３ａの頂部に位置して設けるようにして、左右の流出口８５，８５ａにほぼ均等に向うようにしているが、球出口５３ａを左右のいずれかにずらして球出口５３ａを設けた側の連通路８６，８６ａに優先的に導くようにしてもよい。このように連通路８６を複数設けることにより貯留皿１２の球圧を分散することができ、僅かながらも貯留量を増やすことができる。
【００５７】
上記したように、球払出装置４２で払出されたパチンコ球を直接的に供給皿１１に導く球排出樋５１を必要としないため、図１７に示すように機構板３７の球出口５３より下方をすっきりとさせて広域な平坦面とすることができ、近年大きくしかも多くなっている制御基板等を設けるスペースとして有効に利用することができる。また、後者の実施の形態のように球払出装置４２から払出されたパチンコ球を直接供給皿１１に球排出樋５１を介して導くことがなくても、導出樋１１８を介して直接的に供給皿１１に導くため発射装置３０にも素早く供給することができる。また、直接的に供給皿１１に導く球排出樋５１を必要としないため、球払出装置４２を球出口５３の近傍に設けることが可能となり、窓部３８を広くして可変表示装置１７の大型化にも対応することができる。さらに球払出装置４２を直接連絡樋５２に設けることも可能となる。
【００５８】
なお、図２１に示すように上記実施の形態における前記払出通路５１の途中側壁に溢出口６２を設けて、前記払出通路５１を該溢出口６２を介して前記供給皿１２に連通させ、先ずは供給皿１１に導いたパチンコ球を連通路８６を介して供給皿１２に導き、該貯留皿１２に充満したパチンコ球が該溢出口６２から溢れ出し前記供給皿１２に流入するよう溢球通路を設けて、貯留量を増やすようにしてもよい。また、連絡樋５２の側壁に溢出口６２を開設し前板６の裏面側に溢球通路を設けて供給皿１２に流入するようにしてもよい。
【００５９】
また、本発明は供給皿１１が貯留皿１２の下方に位置してしかも打球発射装置３０が供給皿１１の裏面側に位置して下方に設けられることから遊技領域３ａを下方に大きくすることが可能となる。その分貯留皿１２は薄くなり貯留量は少なくなるものの貯留皿１２は前板６のほぼ幅方向に設けられるため貯留量は十分に確保することができる。
【００６０】
そこで、図２２はさらに遊技領域３ａを拡大有効利用するために、前記アウト口２３を遊技領域３ａの側方でありガイドレール１５を流下するアウト球と相対する位置に設けるようにした実施の形態を示す。具体的には前記支持枠４の少なくとも左右側壁部２６ａ，２６ｂのいずれか一方は遊技盤３面より前面側にパチンコ球が通過可能なほぼ２０ｍｍ程度突出している。そして、遊技領域３ａの外側端部より側方に位置する前記側壁部（本実施の形態において右側壁部２６ｂ）の側面にアウト球が流出するアウト口２３を開設している。また、前記内レール１５ｂを左右に分割形成し、前記左内レール１５ｂ１は円弧状の下部にアウト球をアウト口２３に導くように接線方向に延設して緩やかな下傾状に形成し、終端部はアウト球を遊技領域３ａの側方に誘導し、前記アウト球の流下方向に相対するように設けられたアウト口２３に臨むようにしている。一方、前記右内レール１５ｂ２の下辺部を遊技盤３の角部に向かってほぼ直線的に張設し、本来デッドスペースとして利用していない隅角範囲を遊技領域３ａとして広く形成している。なお、前記アウト口２３に連通して支持部２７内にアウト球排出通路６６ａが形成され、アウト球をパチンコ遊技機のほぼ中央で機外に排出するようにしている。
【００６１】
このように、誘導手段としてのガイドレール１５によりアウト球を遊技領域３ａの側方へ誘導すると共にアウト口２３をアウト球の流下方向と相対するように側壁２６ｂに開設するようにしたので、アウト球が流れに逆らうことなくスムーズに流出させることができ、アウト口２３で球詰りすることがない。しかも遊技盤３毎にアウト口を穿設したりアウト球を受ける受口を設けたりすることがなく、アウト口２３の下端まで遊技領域３ａとすることができ遊技盤３の遊技領域３ａを広くすることが可能となる。
【００６２】
さらに、図２３は支持枠４の周壁２６ａ〜２６ｃ内側を遊技領域３ａを構成する誘導手段として遊技盤３のほぼ全域を遊技領域３ａとしている。この実施の形態において、支持枠４は支持部２７を除く左右および上周壁部２６ａ〜２６ｃを遊技盤３面より前面側にほぼ２０ｍｍ程度突出して形成して該上周壁部２６ａ〜２６ｃ内面を遊技領域３ａを形成するガイド面としている。そして、遊技領域３ａの下方には誘導手段としてほぼ直線上のガイドレール１２０が右周壁部２６ｂの側面に設けられたアウト口２３に相対するように緩やかに下傾して設けられる。また、左周壁部２６ａに発射レ―ル２８から発射されたパチンコ球を誘導するガイド溝１２１をほぼ垂直状の緩やかな湾曲状に形成し、終端を遊技盤３に向って湾曲させている。このときガイド溝１２１内に金属板片を張設するのが好ましく、該金属板片をガラス扉枠５の金属部と一体に形成するようにしてもよい。また、遊技盤３の左右上部には円弧状のガイド部１２２を設けるのが好ましく、打球がスムーズに遊技領域３ａに流入させるのがよい。なお、ソレノイド式の打球発射装置３０により垂直状に発射してもよいが、傾斜状の発射レール２８を介して打球を発射することにより、打球に助走ができ垂直状のガイド溝１２１でも十分に上昇させることができ、遊技領域３ａにパチンコ球を送り込むことができる。このように、遊技盤３のほぼ全域を遊技領域３ａとする方形状にすることで、アウト球はすべて下方のガイドレール１２０に落下して該ガイドレール１２０によりアウト口２３に誘導される。そのため、該ガイドレール１２０でアウト球が跳ねることがあるため、ガイドレール１２０上面にアウト球の衝撃を吸収するウレタンゴム等の緩衝材を配設するのが好ましい。なお、アウト球の流勢を減衰する制御手段として風車をアウト口２３近傍に設けるようにしてもよい。このとき右周壁部２６ｂ側を流下するパチンコ球が風車を反回転しないように、該風車の上方に障壁を設けるのが好ましい。また、前記ガイドレール１２０は支持部２７に設けるかガラス扉枠５または前板６側に設けるようにして遊技機３に誘導手段を設けないようにしてもよい。
【００６３】
また、本発明は上記構成とすることにより貯留皿１１のパチンコ球を触る必要がないため、前記延設部８４ａと一体または別体で貯留皿１１の皿部材８３の上面を隠蔽する閉塞板を設けることが可能となり、球出口５３ａおよび流出口８５からの不正および悪戯を確実に防ぐことができる。好ましくは前記閉塞板はパチンコ球の貯留状態が視認できる透光性樹脂により形成するのがよい。さらに、閉塞板は皿部材８３の掃除のために着脱または開閉自在に設けるのがよく、遊技者に悪戯で開放されないように前板６の裏面側で施錠または係止するようにするのがよい。また、閉塞板上面にカップホルダーまたはコインホルダーを設けることも可能である。また、前記図２０に示したように上下皿を左右で連通した際には、連通路８６，８６ａ間の空間部を透光性樹脂により閉塞するようにしてもよく、好ましくは上部を軸支して後方へ揺動自在とするのがよい。また、前記閉塞板と一体に形成してもよい。
【００６４】
なお、これまで記した実施の形態において、打球発射装置３０を供給皿１１の左方に位置して設けている関係で発射球導出部９７を図上左方に設けて、打球供給装置６９に送り込むようにしたが、打球発射装置３０を支持枠４の右方に設けて整流通路９６を操作ハンドル１４側に流下するように右方に形成するようにしてもよいのはいうまでもない。
【００６５】
また、上記実施の形態では貯留皿１２および供給皿１１を連通路８６および供給路９３を介してそれぞれ右側方または左側方で連通するように接続するようにしたが、交差状に接続連通するようにしてもよい。さらに、貯留皿１２と供給皿１１とを前板６の前面側で連通することなく、貯留皿１２のパチンコ球を一旦前板６の裏面側に導き供給皿１１に供給するように前板６の裏面側で連通させるようにしてもよい。
【００６６】
また、本発明が適用されるパチンコ遊技機として上記実施の形態に限定されるものではなく、ガラス扉枠５と供給皿１１および貯留皿１２までも一体に開放されるパチンコ遊技機であっても、供給皿１１および貯留皿１２が個々に開閉自在に装着されたパチンコ遊技機であっても、ガラス扉枠５と供給皿１１が一体に開放されるパチンコ遊技機であってもよい。また、供給皿１１および貯留皿１２が別途開放する場合には、貯留皿の開放時に連通路８６で球零れのないように開閉板を設けやすいように連通路８６側を軸支するのが好ましい。さらに、前面枠２が存在せず機枠１にガラス扉枠５および前板６が直接開閉自在に装着されたパチンコ遊技機であってもよいのはいうまでもない。
【００６７】
また、図２４に示すように前記前板６の裏面に、供給皿１１のパチンコ球を１個ずつ供給する打球供給装置６９と、前記打球供給装置６９から供給されたパチンコ球を発射位置３１に一時停止させる発射レール２８と、前記発射位置３１のパチンコ球を遊技盤３面に打ち込む打球発射装置３０等の一連の発射関連機構をケース体１２４に一体に組付けて発射ユニット１２５を構成して、着脱自在に取着するようにしてもよい。
【００６８】
このように、打球供給装置６９，発射レール２８，打球発射装置３０等の供給皿１１のパチンコ球を遊技盤３面に打ち込むまでの発射関連機構を打球供給皿１１に設けることで、一連の発射関連機構の組付けが容易となり、打球供給装置６９と発射レール２８，発射レール２８の発射位置３１と打球発射装置３０の打球杆３２の微妙で煩わしい位置調整を簡単に行うことができる。
【００６９】
さらに、前記打球発射装置３０を球詰り防止の振動手段とした際に、該打球発射装置３０を前板６側に設けて該打球発射装置３０の振動を供給皿１１および貯留皿１２および連通路８６の球詰り防止手段としてもよい。
【００７０】
なお、本発明でいう「パチンコ遊技機」とはパチンコ球を遊技媒体として遊技する遊技機であり、実施の形態においてパチンコ球を直接遊技盤３に打ち込んで遊技するパチンコ遊技機として説明したが、パチンコ球を遊技媒体として所定個数（例えば５個）を単位賭数として回収し、前記可変表示装置１７の表示を任意で停止する遊技機であってもよい。
【００７１】
このとき、供給皿１１Ａには、図２５及び図２６に示すように所定数のパチンコ球を単位賭数として回収する球回収機構１２６と、賭数を設定するベットスイッチ１２７と、球回収されたことを条件として前記可変表示装置１７の図柄を変動させる始動操作部１２８と、前記可変表示装置１７の変動図柄を停止させる停止操作部１２９ａ〜１２９ｃとが備えられ、前記始動操作部１２８の操作によって変動した可変表示装置１７の図柄が前記停止操作部１２９ａ〜１２９ｃの任意の停止操作により所定図柄の組合せに停止されることで前記球払出装置４２からパチンコ球が前記改造用供給皿１１Ａに払出される。前記ベットスイッチ１２７は、１単位毎に賭数を設定するベットスイッチ１２７ａ及び最大賭数を設定するマックスベットスイッチ１２７ｂとが設けられている。
【００７２】
前記球回収機構１２６は、通孔７２から流出する最先のパチンコ球を支持し、該パチンコ球の荷重により回転する球切回転体１３０と、該球切回転体１３０の回転を制御する制御手段としてのソレノイド１３１とにより構成されている。前記球切回転体１３０は周面にパチンコ球を１個ずつ受入れる複数（実施の形態において５個所）の球受部１３０ａを形成し、側面に停止突起１３２を突設している。一方制御手段としてのソレノイド１３１は、プランジャの先端に前記停止突起１３２に係脱する鉤部１３３を有する作動部材１３４が設けられ、常にはプランジャに巻装されたスプリングの付勢により作動部材１３４が下動して、鉤部１３３が停止突起１３２に係合して球切回転体１３０が停止した状態にある。
【００７３】
前記球回収機構１２６の作用は、前記ベットスイッチ１２７ａまたはマックスベットスイッチ１２７ｂの押圧によりソレノイド１３１が瞬時に励磁して、前記球受部１３０ａに受入れられたパチンコ球の荷重により１回転し、停止突起１３２が鉤部１３３に係止する。そして、１回転で単位賭数として球切回転体１３０に形成された球受部１３０ａの数（５個）毎に回収され、センサ１３５で検知される。このとき、ソレノイド１３１をパチンコ球５個単位で励磁することなく、例えば最大賭数の１５個をまとめて回収するようにしてもよい。さらに、遊技者の持ち球を全てまたは所定個数を記憶するメモリスイッチを設けて、その押圧によりソレノイド１３１を励磁して一気に回収して記憶させるようにしてもよい。
【００７４】
なお、球回収機構は、上記構成に限定されることはなく、図２７に示すように回転体１３０を制御手段としてのモータ１４０で回転させるようにして１個ずつの払出しを可能とし、センサ１３５で検出するようにしてもよい。このとき球回収機構１３９の回転体１３０は、各球受部１３０ａ間を回転体１３０の回転方向に向って漸次高くなる巴形状として、１分間に１，５００〜３，０００球程度を払出す高速回転に対応できるようにするのが好ましい。この高速の払出しにより、コインの代替として使用されるパチンコ球が、コインの払出しと同等またはそれ以上の速さで払出すことができ、遊技者の興趣を飽きさせることがない。また、供給皿１１の整流通路９６からのパチンコ球を受入れる通路部１４１を図２７に示すようにパチンコ球が複列または半複列で流下し得る通路幅とすると共に、通路幅を漸次パチンコ球１個分に絞り込んで前記回転体１３０で払出してセンサ１３５で検知するようにしてもよい。このように通路部１４１を幅広とすることによって、通路部１４１に連続するパチンコ球の球心距離がパチンコ球の径より小となり、高速で払出しが行われても球間に隙間が生じることがなく連続して供給され、回転体１３０が球噛みしたり空切りしたりすることがない。さらに、供給皿１１の整流通路９６ａを通路部１４１と同様の幅広とすることができ、従来のパチンコ球１個分の整流通路９６と異なり幅広とすることにより整流通路９６ａの掃除がしやすくなる。なお、前記センサ１３５は複数のセンサを上下に位置して設けるようにして、検出する波形により規定の払出しか不正によるものかを判別し得るようにするのがよい。また、前記センサ１３５は複数のセンサを有する光電式のクロスセンサとしてもよい。
【００７５】
なお、前記球回収機構１３９のようにパチンコ球を１個単位で回収し得る場合には、単位賭数を例えば５個から３個に任意に変更し得るようにしてもよく、それに伴い当り時の賞球の払出しを少なくするようにすればよい。また、遊技を面白くするためにメインの遊技基板とは別にサブ基板を設け、サブ基板からの信号により遊技者に視認可能なランプ等の報知手段を設け、該ランプの点滅時の操作および動作（ベットスイッチ２７の押圧，賞球の払出，表示部の変動等）により、変則的な動作をするようにしてもよい。例えばランプの点滅時にベットスイッチ２７を押圧した際にはその賭数分のパチンコ球が払い戻されたり、賞球の払出時にランプが点滅した際にはボーナスとして余分に賞球が払出されたり、表示部の変動中にランプが点滅した際には強制的に図柄を揃えて「大当り」としたりして、遊技者に有利なものとするのがよい。
【００７６】
また、前記球回収機構に球払出装置４２の機能を備えさせるようにしてもよく、前記回収機構を正逆モータと回転体とで構成し、回転体を正逆回転して正転により球回収し、逆転により賞球および貸球を払出すようにすればよい。なお、回転体を正逆する際に、該回転体にパチンコ球を供給する整流通路と供給通路とを交互に閉塞する開閉手段を設けるのが好ましい。
【００７７】
なお、供給皿１１および貯留皿１２を別途開放するようにして、供給皿１１と改造用供給皿１１Ａとを交換するだけで、パチンコ球を直接遊技盤３に打ち込むパチンコ遊技機と、パチンコ球を単位賭数として回収し、前記可変表示装置１７の表示を任意で停止する遊技機に変更することができる。
【図面の簡単な説明】
【００７８】
【図１】本発明が適用されるパチンコ機の正面図である。
【図２】ガラス扉枠と前板とを開放した状態を示すパチンコ遊技機の正面図である。
【図３】パチンコ遊技機の裏面図である。
【図４】払出通路部の要部断面図である。
【図５】打球発射装置部分の要部正面図である。
【図６】貯留皿の平面図である。
【図７】供給皿の平面図である。
【図８】貯留皿および供給皿の関係を示す正面断面図である。
【図９】球抜装置の分解斜視図である。
【図１０】供給皿の要部正面図である。
【図１１】（イ），（ロ）は球抜きの作用を示す説明図である。
【図１２】他の実施の形態の貯留皿の平面図である。
【図１３】さらに他の実施の形態の貯留皿の平面図である。
【図１４】他の実施の形態の供給皿の平面図である。
【図１５】他の実施の形態のパチンコ遊技機の要部側断面図である。
【図１６】図１５の貯留皿の平面図である。
【図１７】他の実施の形態のパチンコ遊技機の裏面図である。
【図１８】導出樋を用いた実施の形態の貯留皿の平面図である。
【図１９】図１８の要部正面断面図である。
【図２０】他の実施の形態の貯留皿および供給皿の関係を示す正面断面図である。
【図２１】他の実施の形態の払出通路部の要部断面図である。
【図２２】遊技領域を広くした実施の形態を示すパチンコ遊技機の正面図である。
【図２３】図２２の他の実施の形態の正面図である。
【図２４】発射ユニットの斜視図である。
【図２５】改造用供給皿の斜視図である。
【図２６】図２５の裏面斜視図である。
【図２７】球回収機構の他の実施の形態を示す正面図である。
【符号の説明】
【００７９】
６                  前板
１１                供給皿（下皿）
１２                貯留皿（上皿）
３０                打球発射装置
３２                打球杆（打球発射装置）
３３                ソレノイド（打球発射装置）
４２                球払出装置
５１                払出通路
６２                溢出口
７２                通孔（発射球導出部）
８６，８６ａ        連通路
９６                整流通路（発射球導出部）
９７                発射球導出部
９９                球抜孔（球抜開口）
１００              球抜口（球抜開口）
１０１              球抜装置
【図１】
0004834714.tif 000002
【図２】
0004834714.tif 000003
【図３】
0004834714.tif 000004
【図４】
0004834714.tif 000005
【図５】
0004834714.tif 000006
【図６】
0004834714.tif 000007
【図７】
0004834714.tif 000008
【図８】
0004834714.tif 000009
【図９】
0004834714.tif 000010
【図１０】
0004834714.tif 000011
【図１１】
0004834714.tif 000012
【図１２】
0004834714.tif 000013
【図１３】
0004834714.tif 000014
【図１４】
0004834714.tif 000015
【図１５】
0004834714.tif 000016
【図１６】
0004834714.tif 000017
【図１７】
0004834714.tif 000018
【図１８】
0004834714.tif 000019
【図１９】
0004834714.tif 000020
【図２０】
0004834714.tif 000021
【図２１】
0004834714.tif 000022
【図２２】
0004834714.tif 000023
【図２３】
0004834714.tif 000024
【図２４】
0004834714.tif 000025
【図２５】
0004834714.tif 000026
【図２６】
0004834714.tif 000027
【図２７】
0004834714.tif 000028